(57)【要約】【課題】相互連動する複数の警報ユニット間の縁組み作業を軽減することができる無線装置を提供すること。【解決手段】記憶手段ＮＶＭ、送信手段Ｎ、受信手段Ｚ、グループ判別手段Ｋ、第１の報知手段Ｑおよび第２の報知手段Ｒを備え、記憶手段ＮＶＭには、各宅内に配置される複数の無線装置のうちの１台を親機として動作する無線装置とし、他の無線装置を子機として動作する無線装置とし、自己の属する宅内グループを識別するハウスコードと、同一地区であって他の宅内に配置される複数の無線装置の属する宅外グループを識別する地区コードとを識別情報とし、各宅内に１台ずつ存在する親機の機器ＩＤを当該宅内のハウスコードとすると共に、親機のうちのいずれか１台の親機の機器ＩＤを地区コードとする識別テーブルが記憶手段ＮＶＭに格納されている。機器ＩＤを地区コードとされた親機を主親機として縁組みをすることにより、縁組み作業が大幅に軽減される。【選択図】図１
2008040555.tif 000002
【特許請求の範囲】
【請求項１】
警報状態又は故障状態の検出時に該警報状態又は故障状態の内容を示す報知信号を出力すると共に前記報知信号の示す前記警報状態又は故障状態を報知する警報器に接続され、該警報器から入力される前記報知信号の示す内容に相当するデータを無線で送信し、他の無線装置から送信された前記報知信号の示す内容に相当する報知データを無線で受信して該警報器へ出力する無線装置であって、
各宅内に配置される複数の無線装置のうちの１台を親機として動作する無線装置とし、他の無線装置を子機として動作する無線装置とし、自己の属する宅内グループを識別するハウスコードと、同一地区であって他の宅内に配置される複数の無線装置の属する宅外グループを識別する地区コードとを識別情報とし、各宅内に１台ずつ存在する前記親機の機器ＩＤを当該宅内のハウスコードとすると共に、前記親機のうちのいずれか１台の親機の機器ＩＤを地区コードとする識別テーブルが格納される記憶手段と、
前記報知信号の入力時に、前記報知データを前記識別情報と共に他の無線装置に無線で送信する送信手段と、
前記他の無線装置から送信された前記報知データおよび前記識別情報を受信する受信手段と、
前記受信手段における前記報知データの受信時に、前記記憶手段に格納されている前記識別テーブルを参照して、前記報知データを送信した前記他の無線装置が前記宅内グループと宅外グループのいずれのグループの無線装置であるかを判別するグループ判別手段と、
前記宅内グループに属すると前記グループ判別手段が判別した前記他の無線装置からの前記報知データを前記警報器へ出力して、前記報知データに基づく前記報知信号の示す内容に相当する前記警報状態又は故障状態を、宅内での発生情報として前記警報器に報知させる第１の報知手段と、
前記宅外グループに属すると前記グループ判別手段が判別した前記他の無線装置からの前記報知データを前記警報器へ出力して、前記報知データに基づく前記報知信号の示す内容に相当する前記警報状態又は故障状態を、宅外での発生情報として前記警報器に報知させる第２の報知手段と、
を備えることを特徴とする無線装置。
【請求項２】
請求項１記載の無線装置において、
前記報知データの受信中に、該報知データの受信継続時間が予め定められた待機時間を経過したか否かを判別する待機時間経過判別手段を備え、
前記第２の報知手段は、受信した前記報知データに基づく前記報知信号の継続時間が予め定められた待機時間を経過したと前記待機時間経過判別手段が判別した時に、前記報知データを前記警報器へ出力することを特徴とする無線装置。
【発明の詳細な説明】
【技術分野】
【０００１】
本発明は、警報器に接続され、警報器が外部との間で授受する信号を無線で送受信する無線装置に関するものである。
【背景技術】
【０００２】
従来から家宅には、ガスメータやガス漏れ警報器等が設置されており、それらによって把握されるガスの使用量やガス漏れ発生の有無は、従来はスタンドアローンでそれぞれの機器において把握されているのみであったが、その後、遠隔地での集中監視の普及により、遠隔地の集中監視地点に電話回線等を介して接続された集中監視盤に、個別に有線接続されるケースが増え始めた。
【０００３】
さらに近年では、設置箇所の自由度を向上させるために、無線装置を介してガス漏れ警報器やガスメータ等を集中監視盤に無線接続する構成が提案されるに至った。
【特許文献１】特開平６−８５９３８号公報
【発明の開示】
【発明が解決しようとする課題】
【０００４】
近年、法令の改正により新築住戸に火災報知器の設置が義務付けられたり、防犯意識の向上に伴う防犯センサの普及等、家宅には従来からのガス漏れ警報器等だけでなく、様々な警報状態を検出、報知する報知器類が設置されるようになり、また、その報知器類で故障が発生した場合に、その旨を警報とは別に報知する類の警報器も出現している。
【０００５】
これらの警報器で検出される警報状態や故障状態は、検出した警報器によって音声や表示により外部に報知されるのが一般的であるが、そうすると、警報状態や故障状態が発生した場所でしかその旨を認知することができず、警報状態や故障状態に対する迅速な対応が十分に期待できない。
【０００６】
そして、このことは、単に一つの家宅内での問題に収まらず、近隣の家宅の居住者に対する警報状態や故障状態への迅速な対応を期待する上でも重要な問題であり、警報状態や故障状態がどこで発生したのかをその発生場所以外の場所でも迅速に報知するための対策が望まれていた。
【０００７】
そのため、宅内および宅外に配置される各種警報器を無線通信で相互に接続し、自己の警報状態や故障状態を宅内や宅外の他の警報器でも報知することができる相互連動可能な無線連動警報システムが開発されている。このような相互連動可能な無線連動警報システムについて、本出願人は、たとえば特願２００５−２７０４７６号として提案している。
【０００８】
ところが、上述の出願のものは、無線連動警報システムを構成する無線ユニットで受信した他の無線ユニットからの警報状態の内容を示す報知データが、受信した無線ユニットと同一地区からの通信によるものかを見分けるためには、受信側の無線ユニットにおいて、相互に無線通信を行う全ての他の無線ユニットの固有の機器ＩＤを記憶手段の管理テーブルに登録しておかなければならない。そのためには、全ての無線ユニットと縁組みを行う必要があり、非常に繁雑な作業となっていた。
【０００９】
そこで本発明は、上記の課題に鑑みなされたもので、本発明の目的は、相互連動する複数の警報ユニット間の縁組み作業を軽減することができる無線装置を提供することにある。
【課題を解決するための手段】
【００１０】
上記目的を達成するために請求項１に記載した本発明の無線装置は、図１の基本構成図に示すように、警報状態又は故障状態の検出時に該警報状態又は故障状態の内容を示す報知信号を出力すると共に前記報知信号の示す前記警報状態又は故障状態を報知する警報器１，４に接続され、該警報器１，４から入力される前記報知信号の示す内容に相当するデータを無線で送信し、他の無線装置から送信された前記報知信号の示す内容に相当する報知データを無線で受信して該警報器１，４へ出力する無線装置であって、各宅内に配置される複数の無線装置のうちの１台を親機として動作する無線装置とし、他の無線装置を子機として動作する無線装置とし、自己の属する宅内グループを識別するハウスコードと、同一地区であって他の宅内に配置される複数の無線装置の属する宅外グループを識別する地区コードとを識別情報とし、各宅内に１台ずつ存在する前記親機の機器ＩＤを当該宅内のハウスコードとすると共に、前記親機のうちのいずれか１台の親機の機器ＩＤを地区コードとする識別テーブルが格納される記憶手段ＮＶＭと、前記報知信号の入力時に、前記報知データを前記識別情報と共に他の無線装置に無線で送信する送信手段Ｎと、前記他の無線装置から送信された前記報知データおよび前記識別情報を受信する受信手段Ｚと、前記受信手段Ｚにおける前記報知データの受信時に、前記記憶手段ＮＶＭに格納されている前記識別テーブルを参照して、前記報知データを送信した前記他の無線装置が前記宅内グループと宅外グループのいずれのグループの無線装置であるかを判別するグループ判別手段Ｋと、前記宅内グループに属すると前記グループ判別手段Ｋが判別した前記他の無線装置からの前記報知データを前記警報器１，４へ出力して、前記報知データに基づく前記報知信号の示す内容に相当する前記警報状態又は故障状態を、宅内での発生情報として前記警報器１，４に報知させる第１の報知手段Ｑと、前記宅外グループに属すると前記グループ判別手段Ｋが判別した前記他の無線装置からの前記報知データを前記警報器１，４へ出力して、前記報知データに基づく前記報知信号の示す内容に相当する前記警報状態又は故障状態を、宅外での発生情報として前記警報器１，４に報知させる第２の報知手段Ｒと、を備えることを特徴とする。
【００１１】
請求項１に記載の発明においては、警報状態又は故障状態の検出時に該警報状態又は故障状態の内容を示す報知信号を出力すると共に報知信号の示す警報状態又は故障状態を報知する警報器１，４に接続され、該警報器１，４から入力される報知信号の示す内容に相当するデータを無線で送信し、他の無線装置から送信された報知信号の示す内容に相当する報知データを無線で受信して該警報器１，４へ出力する無線装置であって、各宅内に配置される複数の無線装置のうちの１台を親機として動作する無線装置とし、他の無線装置を子機として動作する無線装置とし、自己の属する宅内グループを識別するハウスコードと、同一地区であって他の宅内に配置される複数の無線装置の属する宅外グループを識別する地区コードとを識別情報とし、各宅内に１台ずつ存在する親機の機器ＩＤを当該宅内のハウスコードとすると共に、親機のうちのいずれか１台の親機の機器ＩＤを地区コードとする識別テーブルが格納される記憶手段ＮＶＭと、報知信号の入力時に、報知データを識別情報と共に他の無線装置に無線で送信する送信手段Ｎと、他の無線装置から送信された報知データおよび識別情報を受信する受信手段Ｚと、受信手段Ｚにおける報知データの受信時に、記憶手段ＮＶＭに格納されている識別テーブルを参照して、報知データを送信した他の無線装置が宅内グループと宅外グループのいずれのグループの無線装置であるかを判別するグループ判別手段Ｋと、宅内グループに属するとグループ判別手段Ｋが判別した他の無線装置からの報知データを警報器１，４へ出力して、報知データに基づく報知信号の示す内容に相当する警報状態又は故障状態を、宅内での発生情報として警報器１，４に報知させる第１の報知手段Ｑと、宅外グループに属するとグループ判別手段Ｋが判別した他の無線装置からの報知データを警報器１，４へ出力して、報知データに基づく報知信号の示す内容に相当する警報状態又は故障状態を、宅外での発生情報として警報器１，４に報知させる第２の報知手段Ｒと、を備えている。それにより、ハウスコードと地区コードを親機の機器ＩＤとしたため、地区コードを無線連動警報システム内の全ての無線装置に登録するための縁組み作業が軽減される。
【００１２】
上記目的を達成するために請求項２に記載した本発明の無線装置は、請求項１記載の無線装置において、前記報知データの受信中に、該報知データの受信継続時間が予め定められた待機時間を経過したか否かを判別する待機時間経過判別手段Ｐを備え、前記第２の報知手段Ｒは、受信した前記報知データに基づく前記報知信号の継続時間が予め定められた待機時間を経過したと前記待機時間経過判別手段Ｐが判別した時に、前記報知データを前記警報器１，４へ出力することを特徴とする。
【００１３】
請求項２に記載の発明においては、報知データの受信中に、該報知データの受信継続時間が予め定められた待機時間を経過したか否かを判別する待機時間経過判別手段Ｐを備えている。第２の報知手段Ｒは、受信した報知データに基づく報知信号の継続時間が予め定められた待機時間を経過したと待機時間経過判別手段Ｐが判別した時に、報知データを警報器１，４へ出力する。それにより、宅内の警報器１，４の誤報等に基づく宅外の警報器１，４の警報動作により避難等の行動を無駄に起こさせてしまうのを、防止する処置を待機時間内に行うことができる。
【発明の効果】
【００１４】
請求項１に記載した本発明の無線装置によれば、各家宅で１台ずつ存在する親機の中から、同一地区内で、１台を地区の代表（主親機）とし、その機器ＩＤを地区コードとしたので、同一地区内の無線ユニット間の縁組みの回数が大幅に減らすことができ、相互連動する複数の警報ユニット間の縁組み作業を軽減することができる。
【００１５】
請求項２に記載した本発明の無線装置によれば、宅外グループに属する他の無線装置に接続された警報器で検出された警報状態又は故障状態は、その受信から待機時間が経過した時点で接続先の警報器から報知させるようにして、待機時間が経過するまでの間に、警報状態を検出した警報器が誤報で動作していることが確認されて警報動作が手動等で停止されれば、宅内の警報器による宅外の警報状態の報知が行われずに済むようにして、警報状態の発生箇所に直接赴いて状態を確認できない宅外の住人に、宅内の警報器の誤報等に基づく宅外の警報器の警報動作により避難等の行動を無駄に起こさせてしまうのを、防止することができる。
【発明を実施するための最良の形態】
【００１６】
以下、本発明の実施形態について図面を参照しながら説明する。
【００１７】
図２は、本発明を適用してガス漏れ警報器と火災報知器とを無線で相互に接続した無線連動警報システムの実施の形態を示すブロック図、図３は、図２の無線連動警報システムにおける無線ユニットの構成例を示すブロック図である。
【００１８】
図２に示す無線連動警報システムは、ａ宅内に配置された、ガス漏れ警報器１（請求項中の警報器に相当。）と、ガス漏れ警報器１に接続され、主親機として動作する無線ユニット２（請求項中の無線装置に相当。）と、主親機として動作する無線ユニット２と特定小電力無線通信方式で通信する、子機として動作する無線ユニット３（請求項中の無線装置に相当。）と、無線ユニット３に接続された火災警報器４（請求項中の警報器に相当。）とを含む。また、無線連動警報システムは、ａ宅と同一地区にある、たとえば隣家のｂ宅内に配置された、ガス漏れ警報器１（請求項中の警報器に相当。）と、ガス漏れ警報器１に接続され、従親機として動作する無線ユニット２（請求項中の無線装置に相当。）と、従親機として動作する無線ユニット２と特定小電力無線通信方式で通信する、子機として動作する無線ユニット３（請求項中の無線装置に相当。）と、無線ユニット３に接続された火災警報器４（請求項中の警報器に相当。）とを含む。ａ宅内およびｂ宅内のガス漏れ警報器１や火災警報器４と無線ユニット２，３は、各無線ユニット２，３が宅内、宅外（たとえば隣家等）を跨いで無線通信を相互に行うことで、宅内、宅外を跨いだ警報の相互報知動作（なかまうち、自主防災）を行う。
【００１９】
ガス漏れ警報器１は、都市ガスやプロパンガスの成分を検出するセンサによりガスを検知して警報信号（請求項中の報知信号に相当。）を生成、出力する従来公知のものであり、また、火災警報器４は、熱センサや煙センサにより火災の発生を検知し前記警報信号を生成、出力する従来公知のものであって、いずれも、検知時に音声（警報音、警報メッセージ）により報知する機能を内蔵している。
【００２０】
なお、ガス漏れ警報器１や火災警報器４の音声報知機能は、自身がガスの漏洩や火災の発生を検知した場合だけでなく、無線ユニット２，３を介して外部から入力される信号（他の無線ユニット２，３に接続されたガス漏れ警報器１や火災警報器４から出力される警報信号に基づいた警報報知信号）によっても作動させることができる。
【００２１】
無線ユニット２，３は、図３に示すように、通信用高周波回路部ＲＦと変復調処理用デジタル処理回路部ＤＰと制御用マイクロコンピュータ部（以下、「マイコン部」と略記する。）μＣＯＭとをワンチップ化した集積回路ＬＳＩと、ガス漏れ警報器１や火災警報器４がそれぞれ接続されるポートＰｉｏと、不揮発性メモリＮＶＭと、通信用高周波回路部ＲＦに接続されたアンテナＡＴと、縁組スイッチＥＳとを有しており、ポートＰｉｏと不揮発性メモリＮＶＭと縁組スイッチＥＳは、マイコン部μＣＯＭに接続されている。
【００２２】
無線ユニット２，３は、単一のチャネルを使用して他の無線ユニット２，３と無線通信を行うように構成されている。なお、宅内グループ向けの無線通信においてメインチャネルまたはサブチャンネルのいずれか一方を使用するように２チャンネルを使い分け、宅外グループ向けの無線通信においてサブチャネルを使用するようにすることもできる。
【００２３】
なお、不揮発性メモリＮＶＭには、無線ユニット２，３が外部との無線通信において使用する自己の識別信号（以下、機器ＩＤという）や、ガス漏れ警報器１や火災警報器４が出力する警報信号のパルス波形パターンとそれにより示される警報内容（例えばガス漏れ、火災発生等）とを関連づけたテーブルとが、予め登録されている。
【００２４】
また、主親機２の不揮発性メモリＮＶＭには、主親機２の機器ＩＤと、主親機２と同一のａ宅の宅内グループに属することを表すハウスコードと、主親機のａ宅の宅外であってａ宅と同じ地区の宅外グループに属することを表す地区コードが、主親機２の識別情報として識別テーブルに登録されている。なお、主親機２のハウスコードおよび地区コードは、主親機２の機器ＩＤと同一のものが設定されている。
【００２５】
また、従親機２の不揮発性メモリＮＶＭには、初期状態では、従親機の機器ＩＤと、従親機２の機器ＩＤを同じものに設定されたハウスコードが登録されており、地区コードは登録されていない。また、子機３の不揮発性メモリＮＶＭには、初期状態では、子機３の機器ＩＤのみが登録されており、ハウスコードと地区コードは登録されていない。
【００２６】
ハウスコードおよび地区コードの従親機２および子機３の不揮発性メモリＮＶＭへの登録は、無線連動警報システムの設置時に、各無線ユニットにおける縁組スイッチＥＳの同時操作により行われる。
【００２７】
この構成を有する無線連動警報システムのコード設定動作を、図４のシーケンス図を参照しながら説明する。まず、主親機２の縁組スイッチＥＳ１および従親機２の縁組スイッチＥＳをほぼ同時に長押しする。それにより、従親機２から主親機２へ縁組み要求の電文が送信される。主親機２は、送信された電文を受信すると、不揮発性メモリＮＶＭに登録されている地区コード（主親機２の機器ＩＤ）２を含む送信電文が従親機２へ送信される。また、主親機２は、マイコン部μＣＯＭに接続された図示しないＬＥＤによる表示部に、従親機２との縁組みが終了したことを表示する。
【００２８】
従親機２は、主親機２からの送信電文を受信し、受信電文に含まれる地区コード（主親機２の機器ＩＤ）を不揮発性メモリＮＶＭに登録する。また、従親機２は、マイコン部μＣＯＭに接続された図示しないＬＥＤによる表示部に、主親機２からの識別情報（地区コード）を登録できたことを表示する。このようにして、主親機２と従親機２の縁組みが完了する。
【００２９】
同一地区内の他の従親機２は、主親機２と従親機２の縁組み終了の確認後、上述と同様に、縁組みスイッチＥＳの同時長押しにより、主親機２と縁組みし、主親機２からの送信電文に含まれる地区コード（主親機２の機器ＩＤ）を不揮発性メモリＮＶＭに登録する。また、従親機２は、マイコン部μＣＯＭに接続された図示しないＬＥＤによる表示部に、主親機２からの識別情報（地区コード）を登録できたことを表示する。このようにして、主親機２と他の従親機２の縁組みが完了する。
【００３０】
次に、主親機２および従親機２は、それぞれに属する子機３との間だけで縁組みを行う。すなわち、図５のシーケンス図に示すように、主親機２の縁組スイッチＥＳと、主親機２と同一宅内の子機３の縁組スイッチＥＳがほぼ同時に通常押しされると、主親機２は、不揮発性メモリＮＶＭよりハウスコード（主親機２の機器ＩＤ）および地区コード（主親機２の機器ＩＤ）を読み込む。子機３から縁組み要求の電文が送信されると、主親機２は、子機３から送信された縁組み要求の電文を受信し、不揮発性メモリＮＶＭから読み込んだハウスコード（主親機２の機器ＩＤ）および地区コード（主親機２の機器ＩＤ）を含む送信電文を子機３へ送信する。また、主親機２は、マイコン部μＣＯＭに接続された図示しないＬＥＤによる表示部に、子機３との縁組みが終了したことを表示する。
【００３１】
子機３は、主親機２からの送信電文を受信し、受信した電文に含まれるハウスコード（主親機２の機器ＩＤ）および地区コード（主親機２の機器ＩＤ）を不揮発性メモリＮＶＭに登録する。また、子機３は、マイコン部μＣＯＭに接続された図示しないＬＥＤによる表示部に、主親機２からの識別情報（ハウスコードおよび地区コード）を登録できたことを表示する。このようにして、主親機２と子機３の縁組みが完了する。
【００３２】
同様に、従親機２の縁組スイッチＥＳと、従親機２と同一宅内の子機３の縁組スイッチＥＳがほぼ同時に通常押しされると、従親機２は、不揮発性メモリＮＶＭよりハウスコード（従親機２の機器ＩＤ）および地区コード（主親機２の機器ＩＤ）を読み込む。子機３から縁組み要求の電文が送信されると、従親機２は、子機３から送信された縁組み要求の電文を受信し、不揮発性メモリＮＶＭから読み込んだハウスコード（従親機２の機器ＩＤ）および地区コード（主親機２の機器ＩＤ）を含む送信電文を子機３へ送信する。また、従親機２は、マイコン部μＣＯＭに接続された図示しないＬＥＤによる表示部に、子機３との縁組みが終了したことを表示する。
【００３３】
子機３は、従親機２からの送信電文を受信し、受信した電文に含まれるハウスコード（従親機２の機器ＩＤ）および地区コード（主親機２の機器ＩＤ）を不揮発性メモリＮＶＭに登録する。また、子機３は、マイコン部μＣＯＭに接続された図示しないＬＥＤによる表示部に、従親機２からの識別情報（ハウスコードおよび地区コード）を登録できたことを表示する。このようにして、従親機２と子機３の縁組みが完了する。
【００３４】
この縁組み方法によれば、相互に無線通信を行う全ての他の無線ユニットの固有の機器ＩＤを記憶手段の管理テーブルに登録しておかなければならなかった従来例に比して、縁組みを行う回数を大幅に減らすことができる。
【００３５】
以上のように識別情報が設定された主親機、従親機および子機を構成する各無線ユニット２，３は、その不揮発性メモリＮＶＭにハウスコード（従親機２の機器ＩＤ）および地区コード（主親機２の機器ＩＤ）を登録している。この不揮発性メモリＮＶＭは、請求項中の記憶手段に対応している。そして、各無線ユニット２，３は、他の無線装置への報知データの送信時に識別情報としてのハウスコードと地区コードを一緒に送信する。また、各無線ユニット２，３は、他の無線装置からの報知データの受信時に、受信電文に含まれている地区コードが、自己の不揮発性メモリＮＶＭに登録している地区コードと同じだった場合に、同一地区からの通信と判断し、それに対応した動作を行うことができる。
【００３６】
次に、各無線ユニット２，３のマイコン部μＣＯＭが内部の不図示のＲＯＭに格納された制御プログラムにしたがって実行する無線連動警報処理を、図６のフローチャートを参照しながら説明する。
【００３７】
まず、ガス漏れ警報器１や火災警報器４からの警報信号がポートＰｉｏに入力されたか否かを確認し（ステップＳ５１）、入力された場合は（ステップＳ５１でＹ）、不揮発性メモリＮＶＭに登録されたテーブルを参照して、入力された警報信号のパルス波形パターンから発生した警報内容を判別する（ステップＳ５３）。
【００３８】
そして、判別した警報信号の警報内容を示す警報発生データを、送信元の識別情報である不揮発性メモリＮＶＭから読み込んだ自己の識別情報、すなわち、ハウスコードおよび地区コードと共に、送信電文として、変復調処理用デジタル処理回路部ＤＰにて変調して通信用高周波回路部ＲＦ乃至アンテナＡＴから無線送信させた後（ステップＳ５５）、ステップＳ５１にリターンする。
【００３９】
これに対して、ステップＳ５１においてガス漏れ警報器１や火災警報器４からの警報信号がポートＰｉｏに入力されていない場合（Ｎ）は、他の無線ユニット２，３からの警報発生データおよび識別情報が、受信電文として、アンテナＡＴ乃至通信用高周波回路部ＲＦで受信され変復調処理用デジタル処理回路部ＤＰにて復調されて入力されたか否かを確認する（ステップＳ５７）。
【００４０】
他の無線ユニット２，３からの警報発生データおよび識別情報が入力されていない場合は（ステップＳ５７でＮ）、ステップＳ５１にリターンし、入力された場合は（ステップＳ５７でＹ）、警報発生データと共に入力された識別情報に含まれるハウスコードが、宅内グループに属する無線ユニット２，３の識別情報として不揮発性メモリＮＶＭに登録されているか否かを確認し（ステップＳ５９）、登録されていない場合は（ステップＳ５９でＮ）、後述するステップＳ６３に進む。
【００４１】
一方、警報発生データと共に入力された識別情報に含まれるハウスコードが、宅内グループに属する無線ユニット２，３の識別情報として不揮発性メモリＮＶＭに登録されている場合は（ステップＳ５９でＹ）、宅内の他の場所で、警報発生データに示されている他の無線ユニット２，３に接続されたガス漏れ警報器１や火災警報器４において警報状態が発生したことを、ポートＰｉｏに接続されているガス漏れ警報器１や火災警報器４おいて音声出力により報知させるための警報報知信号を生成して、ポートＰｉｏからガス漏れ警報器１や火災警報器４に出力した後（ステップＳ６１）、ステップＳ５１にリターンする。
【００４２】
また、ステップＳ５９において、警報発生データと共に入力された識別情報に含まれるハウスコードが、宅内グループに属する無線ユニット２，３の識別情報として不揮発性メモリＮＶＭに登録されていない場合（Ｎ）は、警報発生データと共に入力された識別情報に含まれる地区コードが、宅外グループに属する無線ユニット２，３の識別情報として不揮発性メモリＮＶＭに登録されているか否かを確認し（ステップＳ６３）、登録されていない場合は（ステップＳ６３でＮ）、ステップＳ５１にリターンする。
【００４３】
一方、警報発生データと共に入力された識別情報に含まれる地区コードが、宅外グループに属する無線ユニット２，３の識別情報として不揮発性メモリＮＶＭに登録されている場合に進むステップＳ６５では、ステップＳ５７で確認した他の無線ユニット２，３からの警報発生データの入力が継続しているか否かを確認し、継続していない場合は（ステップＳ６５でＮ）、ステップＳ５１にリターンし、継続している場合は（ステップＳ６５でＹ）、警報信号の入力開始から予め定められた待機時間が経過した否かを確認する（ステップＳ６７）。
【００４４】
待機時間が経過していない場合は（ステップＳ６７でＮ）、ステップＳ６５にリターンし、経過した場合は（ステップＳ６７でＹ）、他の家宅で、警報発生データに示されている他の無線ユニット２，３に接続されたガス漏れ警報器１や火災警報器４において警報状態が発生したことを、ポートＰｉｏに接続されているガス漏れ警報器１や火災警報器４において音声出力により報知させるための警報報知信号を生成して、ポートＰｉｏからガス漏れ警報器１や火災警報器４に出力した後（ステップＳ６９）、ステップＳ５１にリターンする。
【００４５】
以上の説明からも明らかなように、図６のフローチャートで示す内容の制御プログラムが内部の不図示のＲＯＭに格納されたマイコン部μＣＯＭを有する、本発明の実施の形態に係る無線ユニット２，３では、図６のフローチャートにおけるステップＳ５１乃至ステップＳ５５が、請求項中の送信手段Ｎに対応する処理となっており、また、図６中のステップＳ５７が、請求項中の受信手段Ｚに対応する処理となっている。また。図６中のステップＳ５９およびステップＳ６３が、請求項中のグループ判別手段Ｋに対応する処理となっている。
【００４６】
また、本実施形態の無線ユニット２，３では、図６中のステップＳ６１が、請求項中の第１の報知手段Ｑに対応する処理となっており、図６中のステップＳ６５及びステップＳ６７が、請求項中の待機時間経過判別手段Ｐに対応する処理となっていると共に、図６中のステップＳ６９が、請求項中の第２の報知手段Ｒに対応する処理となっている。
【００４７】
上述のように構成された本実施形態の無線連動警報システムでは、ガス漏れ警報器１や火災警報器４において警報状態が検出されると、自身において警報が音声等により出力されると共に、検出した警報状態に応じてパルス波形パターンの異なる警報信号が無線ユニット２，３に出力される。
【００４８】
すると、ポートＰｉｏから警報信号が入力された無線ユニット２，３において、警報信号のパルス波形パターンによって示される警報内容を示す警報発生データが、無線通信により送信される。
【００４９】
送信された警報発生データが、送信元の無線ユニット２，３と同じ家宅内に設置された無線ユニット２，３で受信されると、受信した無線ユニット２，３に接続されたガス漏れ警報器１や火災警報器４への警報報知信号の出力が行われ、そのガス漏れ警報器１や火災警報器４において、宅内の他のガス漏れ警報器１や火災警報器４において発生した警報状態の報知動作が、音声報知機能を用いて行われる。
【００５０】
一方、送信された警報発生データが、送信元の無線ユニット２，３と異なる他の家宅に設置された無線ユニット２，３で受信されると、その受信が予め定められた待機時間を経過するまで継続された時点で、受信した無線ユニット２，３に接続されたガス漏れ警報器１や火災警報器４への警報報知信号の出力が行われ、そのガス漏れ警報器１や火災警報器４において、他の家宅のガス漏れ警報器１や火災警報器４において発生した警報状態の報知動作が、音声報知機能を用いて行われる。
【００５１】
そのため、ガス漏れ警報器１や火災警報器４において警報状態が検出された直後の時点では、警報状態を検出したガス漏れ警報器１や火災警報器４と同じ家宅内に設置された他のガス漏れ警報器１や火災警報器４において、宅内の他のガス漏れ警報器１や火災警報器４において発生した警報状態の報知動作が、音声報知機能を用いて行われる。
【００５２】
また、ガス漏れ警報器１や火災警報器４において警報状態が検出されてから待機時間が経過した後の時点では、警報状態を検出したガス漏れ警報器１や火災警報器４と異なる他の家宅、つまり、宅外に設置されたガス漏れ警報器１や火災警報器４において、他の家宅のガス漏れ警報器１や火災警報器４において発生した警報状態の報知動作が、音声報知機能を用いて行われる。
【００５３】
以上説明したように、本実施形態によれば、各家宅で１台ずつ存在する親機の中から、同一地区内で、１台を地区の代表（主親機）とし、その機器ＩＤを地区コードとしたので、同一地区内の無線ユニット間の縁組みの回数が大幅に減らすことができ、相互連動する複数の警報ユニット間の縁組み作業を軽減することができる。
【００５４】
以上の通り、本発明の実施の形態について説明したが、本発明はこれに限らず、種々の変形、応用が可能である。
【００５５】
たとえば、上述の実施の形態では、第２の報知手段が待機時間経過後に警報器へ報知データを出力するように構成されているが、これに代えて、無線装置からの報知データの送信をハウスコード付きの宅内グループ向けの送信と地区コード付きの宅外グループ向けの送信の２回に分け、宅内グループ向けの送信時点から待機時間経過後に宅外グループ向けの送信を行うように構成しても良い。また、無線装置に接続される警報器側で、警報信号を待機時間だけ時間間隔をおいて２回無線装置に入力し、無線装置では、警報器からの１回目の警報信号の入力により宅内グループ向けの送信を行うと共に、警報器からの２回目の警報信号の入力により宅外グループ向けの送信を行うように構成しても良い。また、無線装置に接続される警報器側で、宅外の発生情報として報知データを無線装置から入力された場合は、宅内の発生情報として報知データを無線装置から入力された場合から待機時間経過後に警報状態又は故障状態を報知するように構成しても良い。
【００５６】
また、本発明が適用される無線装置に接続される警報器は、上述した実施形態に示した警報状態の発生時に警報信号を出力するものに限定されず、例えば、内部の回路やセンサの故障状態を定期的に検出してその報知信号を無線装置（外部）に出力するような警報器であってもよく、あるいは、内部の電源としてのバッテリの残量低下を警報状態として検知し報知及び警報信号出力するものであってもよい。
【００５７】
そして、警報器が行う警報状態や故障状態の報知は、音声によるものに限らず表示等によるものであってもよく、そのような警報器であっても本発明の適用対象となり得ることは、言うまでもない。
【図面の簡単な説明】
【００５８】
【図１】本発明に係る無線装置の基本構成図である。
【図２】本発明を適用してガス漏れ警報器と火災報知器とを無線で相互に接続した無線連動警報システムの実施の形態を示すブロック図である。
【図３】図２の無線連動警報システムにおける無線ユニットの構成例を示すブロック図である。
【図４】図２の無線連動警報システムにおけるコード設定動作を示すシーケンス図である。
【図５】図２の無線連動警報システムにおけるコード設定動作を示すシーケンス図である。
【図６】図３の無線ユニットのマイコン部が内部のＲＯＭに格納された制御プログラムにしたがって実行する無線連動警報処理のフローチャートである。
【符号の説明】
【００５９】
１，４  警報器
Ｋ  グループ判別手段
Ｎ  送信手段
ＮＶＭ  記憶手段
Ｐ  待機時間経過判別手段
Ｑ  第１の報知手段
Ｒ  第２の報知手段
Ｚ  受信手段
【図１】
2008040555.tif 000003
【図２】
2008040555.tif 000004
【図３】
2008040555.tif 000005
【図４】
2008040555.tif 000006
【図５】
2008040555.tif 000007
【図６】
2008040555.tif 000008